(57)【要約】【課題】従来技術では送るコマンドに設定した電源の入切時間に従って画像処理装置の電源が切れるようにしていたため、ユーザが使いたい時にもかかわらず電源が切れてしまうことがある。【解決手段】ジョブ又はFAX処理中である場合は処理完了後に電源オフさせるパケット及びジョブ又はFAX処理中であれば強制終了させて電源オフさせるリモートオフパケットを二種類用意する。【選択図】  図6
2015216550.tif 000002
【特許請求の範囲】
【請求項１】
ネットワーク(112)を介して画像処理装置(100)を制御する情報処理装置(200)と、
前記情報処理装置は前記画像処理装置の電源をリモートオフさせるリモート制御機能(700)と、
前記リモートオフさせるパケットと、
前記画像処理装置がジョブ又はFAX処理中であることを検出する情報検出手段(S605、S610)と、
前記画像処理装置の電源制御を行う電源制御手段(106)と、
前記リモートオフさせるパケットを検出するパケット検出手段(104)と、
前記パケット検出手段から検出したパケットの種類に応じて前記画像処理装置の電源オフを行うリモートオフ手段(S605〜S612)を有することを特徴とする印刷システム。
【請求項２】
前記リモート制御機能は送出するパケットを選択できるリモートオフ設定を持つことを特徴とする請求項1に記載の印刷システム。
【請求項３】
前記パケット検出手段は検出したパケットを比較する比較部と比較する対象のパケット情報を保存しているパケット記憶部を持つことを特徴とする請求項1又は請求項2に記載の印刷システム。
【請求項４】
前記情報検出手段は前記電源制御手段に対して前記画像処理装置のコントローラ制御部及びFAX部、画像処理部、エンジン部、操作部への電源供給を行っている電源制御手段に電源オフ信号を送る手段を持つことを特徴とする請求項1乃至請求項3の何れか１項に記載の印刷システム。
【発明の詳細な説明】
【技術分野】
【０００１】
本発明は、画像処理装置の電源制御を印刷システムから遠隔的に制御するための印刷システムの電源制御方法に関する。
【背景技術】
【０００２】
従来、ネットワークを介してホストコンピュータと通信可能に接続された画像処理装置を備える印刷システムにおいて、オペレータはホストコンピュータと画像処理装置の電源オフを設置してある場所まで行って行わなければならなかった。しかしながら、オペレータがホストコンピュータの電源オフを行うのは当然であるが、ネットワーク上に接続された画像処理装置はほとんど遠隔地にあるため、電源オフを忘れてしまうことがあり、安全性、経済性の面からみて解決しなければならない。これらを考慮してネットワーク上にある画像処理装置の本体電源の電源供給、停止の時間設定を行うコマンドを用いて遠隔地にある画像処理装置を制御する方法を施したものがある(特許文献1参照)。
【先行技術文献】
【特許文献】
【０００３】
【特許文献１】特開平8-328681号公報
【発明の概要】
【発明が解決しようとする課題】
【０００４】
しかしながら、画像処理装置を遠隔地から電源オフさせる時、コマンドで設定した本体電源の入切時間によって電源オフさせてしまうと、ユーザが設定した時間を超えても画像処理装置を使用したい場合に利便性が低下してしまう。
【０００５】
そこで、本発明は、上記課題を鑑みて、前記ホストコンピュータから前記画像処理装置に対してリモートオフパケットを送る手段を設けて前記画像処理装置をそのパケットの内容に沿ってリモートオフさせる手段を設けてユーザの利便性向上を図ることを目的とする。
【課題を解決するための手段】
【０００６】
本発明に係る印刷システムの構成は、
ネットワーク(112)を介して画像処理装置(100)を制御する情報処理装置(200)と
前記情報処理装置は前記画像処理装置の電源をリモートオフさせるリモート制御機能(700)と
前記リモートオフさせるパケットと
前記画像処理装置がジョブ又はFAX処理中であることを検出する情報検出手段(S605、S610)と
前記画像処理装置の電源制御を行う電源制御手段(105)と
前記リモートオフさせるパケットを検出するパケット検出手段(104)と
前記パケット検出手段から検出したパケットの種類に応じて前記画像処理装置の電源オフを行うリモートオフ手段(S605〜S612)を有することを特徴とする。
【発明の効果】
【０００７】
本発明によれば、情報処理装置から遠隔地にある画像処理装置の電源制御をパケットに応じたリモート制御を行うことができ、利便性が向上する。
【図面の簡単な説明】
【０００８】
【図１】複合機のハード構成を示す図である。
【図２】ホストコンピュータのハード構成を示す図である。
【図３】複合機側のCPU機能ブロックを示す図である。
【図４】ホストコンピュータ側のCPU機能ブロックを示す図である。
【図５】ホストコンピュータ側のフローチャートを示す図である。
【図６】複合機側のフローチャートを示す図である。
【図７】複合機に送るブロードキャストパケットを選択する手段を示す図である。
【図８】パケットのプロトコルの内容を示す図である。
【図９】サーバが検出したパケットをパケット記憶部と比較する構成の図である。
【図１０】実施例1においてのパケットの具体例を示した図である。
【図１１】特定の複合機のみ反応するブロードキャストパケットを選択する手段を示す図である。
【図１２】実施例2においてのパケットの具体例を示した図である。
【発明を実施するための形態】
【０００９】
まず、本発明の実施形態におけるシステム制御構成及び機能ブロック図を示すブロック図を説明する。
【００１０】
図1〜4は本発明の実施の形態における複合機とホストコンピュータのシステム制御構成及び機能ブロック図を示すブロック図である。
【００１１】
以下、本発明を実施するための最良の形態について図1〜4を用いて説明する。
【００１２】
図1は本発明の実施形態におけるホストコンピュータのシステム制御構成を示すブロック図である。100は複合機であり、電源106、主電源SW(switch)105、コントローラ制御部102、FAX部108、画像処理部109、エンジン部110、操作部111を持つ。
【００１３】
コントローラ制御部102はMFP(Multi Function Peripheral)のコントローラ機能を有するものである。
【００１４】
コントローラ制御部102はCPU103、インタフェース部104、主電源SW105、FAX部108、画像処理部109、エンジン部110、操作部111、とシステムバス116を介して電気的な信号線で繋がっている。
【００１５】
コントローラ制御部102はLAN(Local Area Network)を介して外部の装置などと画像データやデバイス情報の通信が可能である。
【００１６】
CPU103(Central Processing Unit)は、画像形成装置のブートプログラムが格納されているROM116(Read Only Memory)に基づいてシステムバス117に接続されたデバイスのアクセスを統括的に制御する。
【００１７】
RAM115(Random Access Memory)は、CPU103が動作するためのシステムワークメモリであり、電源オフにより記憶した内容が消去される。
【００１８】
HDD(Hard Disk Drive)114は、画像データのスプール等といった情報記憶を行う。
【００１９】
インタフェース部104は受信したパケットを自分宛てのパケットかどうかをIPアドレスから判別する。自分宛てのパケットと判断した場合、インタフェース部104がパケットのプロトコルを解読する。
【００２０】
解読されたパケットはCPU103へ届く。
【００２１】
CPU103はシステムバス117を介して、インタフェース部105、主電源SW106、FAX部109、画像処理部110、エンジン部111、操作部112、HDD114、RAM115、ROM116の制御を行っている。
【００２２】
次に、図2は本発明の実施形態におけるホストコンピュータのシステム制御構成を示すブロック図である。
【００２３】
200はホストコンピュータであり、電源212、主電源SW211、コントローラ制御部201、I/O部205、画像表示部204を持つ。
【００２４】
コントローラ制御部201はインタフェース部208、CPU202、I/O部205、画像表示部204とシステムバス203を介して電気的な信号線で繋がっている。
【００２５】
コントローラ制御部201はLANを介して外部の装置などと画像データやデバイス情報の通信が可能である。
【００２６】
CPU202は、画像形成装置のブートプログラムが格納されているROM206(Read Only Memory)に基づいてシステムバス203に接続されたデバイスのアクセスを統括的に制御する。
【００２７】
RAM207(Random Access Memory)は、CPU202が動作するためのシステムワークメモリであり、電源オフにより記憶した内容が消去される。
【００２８】
HDD(Hard Disk Drive)210は、画像データのスプール等といった情報記憶を行う。
【００２９】
CPU202は画面表示制御部401を用いてホストコンピュータ200のディスプレイに画像や文字を表示している。
【００３０】
CPU202が画面表示制御部401を用いてディスプレイにリモート画面700を表示させ、ユーザはリモートディスプレイに表示されたリモートオフ設定701でリモートオフパケットの種類を選択できる。  
【００３１】
リモートオフパケットはIETF(The Internet Engineering Task Force)のドキュメントRFC(Request for Comments)によって標準化された形式を用いる。
【００３２】
その形式の中でもサービスの種類や属性を指定してネットワーク・サービスを検索することができる、SLP(Service Location Protocol)マルチキャストパケットを選択する。
【００３３】
選択したリモートオフパケットはホストコンピュータ200からネットワーク112を介して外部の装置などに送信できる。
【００３４】
続いて本発明の実施形における複合機の機能ブロック図である図3の説明を以下に記載する。
【００３５】
CPU103はディスプレイに文字や画像を表示するための画面表示制御部301、受信したパケットを解析するパケット解析部303、主電源SW105へリモートオフ信号を送るリモートオフ信号発生部302の機能を持つ。
【００３６】
CPU103はホストコンピュータ200からネットワーク112を介して受信したパケットを、I/C部300を経てパケット解析部303に届け、パケットの解析を行う。
【００３７】
CPU103が比較部900で検出したパケットをパケット記憶部901に保存されているパケット1情報及びパケット2情報902と比較する。その比較結果を比較部900がCPU103に送る(図8、図10にパケットの詳細を記載)。
【００３８】
902はROM、EEPROM(Electrically Erasable Programmable Read-Only Memory)といった不揮発性記憶装置を用いてもよい。
【００３９】
CPU103は解析した結果によってリモートオフ信号発生部302から主電源SW105に対してリモートオフ信号を送る。
【００４０】
なお、通常の処理を行う時、CPU103が画面表示制御部301を用いて操作部111に画像や文字を表示している。
【００４１】
最後に本発明の実施形におけるホストコンピュータの機能ブロック図4の説明を以下に記載する。
【００４２】
CPU202が画面表示制御部401を用いてディスプレイにリモート画面700を表示させ、ユーザが選択したリモートオフパケットをパケット生成部402でパケットを作成する。
【００４３】
CPU202はI/O部400を介してディスプレイに表示する画面と作成したパケットを制御している。通常の処理を行う時はCPU202が画面表示制御部401を用いて画面表示部204にI/O部205を介して画像や文字を表示している。
【００４４】
ここから、フローチャートを用いた印刷システムの動作内容を説明する。
【００４５】
実施例1,ネットワークに繋がっている全ての複合機にパケットを送る場合(ブロードキャストパケット)
まず、ホストコンピュータ側の動作の説明をする。(図5)S501において、ホストコンピュータ200がユーザからI/O部205によりリモート制御の選択を受け付けた時、CPU202が画面表示制御部401及び画像表示部204によりリモートオフ画面700を起動し、S502に移行する。
【００４６】
S502において、ホストコンピュータ200がリモートオフ画面700によりユーザからのリモートオフ設定701の選択を受けてリモートオフパケットの種類を決定し、その種類に応じてS503、S505へ移行する。
【００４７】
ホストコンピュータ200がユーザによりリモートオフパケットの種類の「default」を選択された時、S503に移行する。S503において、CPU202は複合機がジョブ又はFAX受信中の場合、処理が完了した後複合機をリモートオフさせるパケット(パケット1)をパケット生成部402で作成する。
【００４８】
パケット生成部402がパケットを作成したらS504へ移行し、ホストコンピュータ200はシステムバス203及びインタフェース部208、ネットワーク112を介して複合機100へパケットを送信する。
【００４９】
ホストコンピュータ200がユーザによりリモートオフパケットの種類の「emergency」を選択された時、S505に移行する。
【００５０】
S505において、CPU202は複合機がジョブ又はFAX受信中の場合、処理を強制終了させて複合機をリモートオフさせるパケット(パケット2)をパケット生成部402で作成する。
【００５１】
パケット生成部402がパケットを作成したらS506へ移行し、ホストコンピュータ200はシステムバス203及びインタフェース部208、ネットワーク112を介して複合機100へパケットを送信する。
【００５２】
次に、複合機側の動作の説明をする(図6)。
S601において、複合機100はネットワーク113を介してパケットを受信し、インタフェース部104及びシステムバス116を介してCPU103へパケットを届ける。S602においてCPU103は受信したパケットをI/O部300を介してパケット解析部303にてパケットの解析を行う。複合機100が受信したパケットの解析はCPU103が比較部900で受信したパケットとパケット記憶部901に保存されているパケット1情報及びパケット2情報902と比較して行う(以下、パケット解析動作)。
【００５３】
また、その比較結果からCPU103が受信したパケットがパケット1又はパケット2のどちらでもない場合、ホストコンピュータ200はパケットを受信する前の状態に戻る。
【００５４】
最初にパケット1を受信した場合を説明する。
【００５５】
S603においてCPU103は受信したパケットがパケット1情報902、SLPマルチキャストパケットのサービスタイプを示す文字列「printer_off1.mfp」と一致する場合、パケット1である(図10参照)と判断しS604へ移行する。
【００５６】
S604において、CPU103がFAX部109、画像処理部110、エンジン部111、操作部112の状態から複合機100がジョブ又はFAX受信中であるかを確認し、複合機100が動作中であればS605、動作中でなければS607へ移行する。
【００５７】
S606において、CPU103がFAX部109、画像処理部110、エンジン部111、操作部112の状態から動作完了したことを確認し、S607へ移行する。
【００５８】
S607において、CPU103が主電源SW105へリモートオフ信号を送信し主電源SW105がオフになる。
【００５９】
そして主電源SW105がコントローラ制御部102、FAX部108、画像処理部109、エンジン部110、操作部111への電源供給を止める。(以下、パケット1に応じたリモートオフ動作)
次に、パケット2を受信した場合を説明する。複合機100のCPU103がパケット解析動作を行う。S603においてCPU103は受信したパケットがパケット2情報902、SLPマルチキャストパケットのサービスタイプを示す文字列「printer_off2.mfp」と一致する場合、パケット2である(図10参照)と判断しS608へ移行する。
【００６０】
また、その比較結果からCPU103が受信したパケットがパケット1又はパケット2のどちらでもない場合、ホストコンピュータ200はパケットを受信する前の状態に戻る。
【００６１】
S608において、CPU103がFAX部109、画像処理部110、エンジン部111、操作部112の状態から複合機100がジョブ又はFAX受信中であるかを確認するS609へ移行する。CPU202が複合機100は動作中であると判断したら強制終了させるS610へ移行し、動作中でなければS611へ移行する。
【００６２】
S610において、CPU103がFAX部109、画像処理部110、エンジン部111、操作部112へ強制終了させる制御信号を発信し、動作完了したことを確認したらS611へ移行する。
【００６３】
S611において、CPU103が主電源SW105へリモートオフ信号を送信し主電源SW105がオフになる。そして主電源SW105がコントローラ制御部102、FAX部108、画像処理部109、エンジン部110、操作部111への電源供給を止める。(以下、パケット2に応じたリモートオフ動作)。
【００６４】
続いて、パケット1、2を続けて受信した場合を説明する。まず、パケット1、パケット2の順でパケットを受信した場合を説明する。ホストコンピュータ200がユーザによりリモートオフパケットの種類の「default」を選択された時、ホストコンピュータ200は複合機100に対してパケット1を送信する。
【００６５】
次に、パケット2を送信するホストコンピュータ200は最初にパケット1を複合機100に送信したホストコンピュータ200がパケット2を送信してもよいし、他のホストコンピュータ200がパケット2を送信してもよい。最初にパケット1を送信したホストコンピュータ200でパケット2を送信する場合、パケット2を送信するために再度リモートオフ画面700からリモートオフ設定701でリモートオフパケットの種類の「emergency」を選択する。
【００６６】
他のホストコンピュータ200でパケット2を送信する場合でも同様の手順で行う。
複合機100のCPU103がパケット解析動作を行う。
【００６７】
複合機100はパケット1の処理フローであるS604〜S606の間に続けてパケット2が複合機100に届きCPU103によって検知された場合はS610へ移行する。
【００６８】
この場合、複合機100のCPU103はパケット2に応じたリモートオフ動作を行う。また、S604〜S606を過ぎたS607の時にパケット2が複合機100に届き、CPU103によって検知された場合、CPU103はS607の実行を続ける。
【００６９】
この場合、複合機100のCPU103はパケット1に応じたリモートオフ動作を行う。
【００７０】
次に、パケット2、パケット1の順でパケットを受信した場合を説明する。
【００７１】
ホストコンピュータ200がユーザによりリモートオフパケットの種類の「emergency」を選択された時、ホストコンピュータ200は複合機100に対してパケット2を送信する。
【００７２】
次に、パケット1を送信するホストコンピュータ200は最初にパケット2を複合機100に送信したホストコンピュータ200がパケット1を送信してもよいし、他のホストコンピュータ200がパケット1を送信してもよい。最初にパケット2を送信したホストコンピュータ200でパケット1を送信する場合、パケット1を送信するために再度リモートオフ画面700からリモートオフ設定701でリモートオフパケットの種類の「default」を選択する。
【００７３】
他のホストコンピュータ200でパケット1を送信する場合でも同様の手順で行う。
複合機100のCPU103がパケット解析動作を行う。
【００７４】
複合機100はパケット2の処理フローであるS608〜S610の間に続けてパケット1が複合機100に届き、CPU103によって検知された場合、パケット2の処理を続行する。
【００７５】
また、S608〜S610を過ぎたS611の時にパケット1が複合機100に届き、CPU103によって検知された場合もパケット2の処理を続行する。
【００７６】
複合機100のCPU103はパケット2に応じたリモートオフ動作を行う。さらにパケット1、2を同時に受信した場合を説明する。
【００７７】
複数のホストコンピュータ200からパケット1とパケット2が複合機100に対して同時に送信された場合、S602において複合機100が受信したパケットはパケット2と判断しS608へ移行する。
S  608において、CPU103がFAX部109、画像処理部110、エンジン部111、操作部112の状態から複合機100がジョブ又はFAX受信中であるかを確認するS609へ移行する。CPU202が複合機100は動作中であると判断したら強制終了させるS610へ移行し、動作中でなければS611へ移行する。
【００７８】
複合機100のCPU103はパケット2に応じたリモートオフ動作を行う。
【００７９】
実施例2,ネットワークに繋がっている特定の複合機のみ応答するパケットを送る場合
まず、パケット1を受信した場合を説明する。
【００８０】
ホストコンピュータ200はリモートオフ画面700のグループ設定1000でパケットを送信する複合機をグループ単位で設定できることを前提とする(図11)。
【００８１】
この説明においてはグループ1にパケット1を送信することを例として説明する。複合機100のCPU103がパケット解析動作を行う。
【００８２】
S603においてCPU103は受信したパケットがパケット1情報902、SLPマルチキャストパケットのサービスタイプを示す文字列「printer1_off1.mfp」と一致する場合、パケット1である(図12参照)と判断しS604へ移行する。
【００８３】
また、その比較結果からCPU103が受信したパケットがパケット1又はパケット2のどちらでもない場合、ホストコンピュータ200はパケットを受信する前の状態に戻る。
【００８４】
複合機100のCPU103はパケット1に対応するリモートオフ動作を行う。
【００８５】
次に、パケット2を受信した場合を説明する。
【００８６】
ホストコンピュータ200のリモートオフ画面700のグループ設定1000でグループ2を設定し、グループ2にパケット2を送信することを例として説明する(図11)。
複合機100のCPU103がパケット解析動作を行う。
【００８７】
S603においてCPU103は受信したパケットがパケット2情報902、SLPマルチキャストパケットのサービスタイプを示す文字列「printer2_off2.mfp」と一致する場合、パケット2である(図12参照)と判断しS608へ移行する。また、その比較結果からCPU103が受信したパケットがパケット1又はパケット2のどちらでもない場合、ホストコンピュータ200はパケットを受信する前の状態に戻る。
【００８８】
S608において、CPU103がFAX部109、画像処理部110、エンジン部111、操作部112の状態から複合機100がジョブ又はFAX受信中であるかを確認し、複合機100が動作中であればS610、動作中でなければS611へ移行する。
【００８９】
複合機100はパケット2に応じたリモートオフ動作を行う。
【００９０】
続いて、パケット1、2を続けて受信した場合を説明する。
【００９１】
まず、パケット1、パケット2の順でパケットを受信した場合を説明する。
【００９２】
最初にホストコンピュータ200のリモートオフ画面700のグループ設定1000でグループ1を設定し、グループ1にパケット1を送信する。
【００９３】
最初にパケット1を送信したホストコンピュータ200でパケット2を送信する場合、パケット2を送信するために再度リモートオフ画面700からリモートオフ設定701でリモートオフパケットの種類の「emergency」を選択する。
【００９４】
また、グループ設定1000はグループ1を選択する。他のホストコンピュータ200でパケット2を送信する場合でも同様の手順で行う。パケット2を送信するためにリモートオフ画面700からリモートオフ設定701でリモートオフパケットの種類の「emergency」を選択する。また、ホストコンピュータ200はグループ設定1000でグループ1を選択して送信してもよいし、選択せずにブロードキャストで送信してもよい。
【００９５】
ホストコンピュータ200がブロードキャストで送信した場合、特定グループ以外(この場合はグループ1)の複合機100はこのブロードキャストパケットの情報に従ってリモートオフする。
【００９６】
複合機100のCPU103がパケット解析動作を行う。
【００９７】
S603においてCPU103は受信したパケットがパケット1情報902、SLPマルチキャストパケットのサービスタイプを示す文字列「printer1_off1.mfp」と一致する場合、パケット1である(図12参照)と判断しS604へ移行する。
【００９８】
また、その比較結果からCPU103が受信したパケットがパケット1又はパケット2のどちらでもない場合、ホストコンピュータ200はパケットを受信する前の状態に戻る。
【００９９】
だが、パケット1の処理フローであるS604〜S606の間に続けてパケット2が複合機100に届き、CPU103によって検知された場合はS610へ移行する。
【０１００】
このパケット2を送信するホストコンピュータ200は他のホストコンピュータ200でもよいし、パケット2をグループ設定1000なしでブロードキャスト送信する場合も同様に処理を行う。パケット2をグループ設定1000ありで送信した場合、CPU103は受信したパケットのサービスタイプの文字列「printer1_off2.mfp」と一致したらパケット2であると判断する。
【０１０１】
複合機100はパケット2に応じたリモートオフ動作を行う。
【０１０２】
また、S604〜S606を過ぎたS607の時にパケット2が複合機100に届き、CPU103によって検知された場合、CPU103はS607の実行を続ける。
【０１０３】
複合機100はパケット1に応じたリモートオフ動作を行う。
【０１０４】
次に、パケット2、パケット1の順でパケットを受信した場合を説明する。
【０１０５】
最初にホストコンピュータ200のリモートオフ画面700のグループ設定1000でグループ1を設定し、グループ1にパケット2を送信する。
【０１０６】
最初にパケット2を送信したホストコンピュータ200でパケット1を送信する場合、パケット1を送信するために再度リモートオフ画面700からリモートオフ設定701でリモートオフパケットの種類の「default」を選択する。
【０１０７】
また、グループ設定1000はグループ1を選択する。
【０１０８】
他のホストコンピュータ200でパケット1を送信する場合でも同様の手順で行う。パケット1を送信するためにリモートオフ画面700からリモートオフ設定701でリモートオフパケットの種類の「default」を選択する。また、ホストコンピュータ200はグループ設定1000でグループ1を選択して送信してもよいし、選択せずにブロードキャストで送信してもよい。
【０１０９】
ホストコンピュータ200がブロードキャストで送信した場合、特定グループ以外(この場合はグループ1)の複合機100はこのブロードキャストパケットの情報に従ってリモートオフする。
【０１１０】
複合機100のCPU103がパケット解析動作を行う。
【０１１１】
S603においてCPU103は受信したパケットがパケット2情報902、SLPマルチキャストパケットのサービスタイプを示す文字列「printer1_off2.mfp」と一致する場合、パケット2である(図12参照)と判断しS608へ移行する。
【０１１２】
また、その比較結果からCPU103が受信したパケットがパケット1又はパケット2のどちらでもない場合、ホストコンピュータ200はパケットを受信する前の状態に戻る。
【０１１３】
S608において、CPU103がFAX部109、画像処理部110、エンジン部111、操作部112の状態から複合機100がジョブ又はFAX受信中であるかを確認し、複合機100が動作中であればS610、動作中でなければS611へ移行する。
【０１１４】
このとき、パケット2の処理フローであるS608〜S610の間に続けてパケット1が複合機100に届き、CPU103によって検知された場合、パケット2の処理を続行する。
【０１１５】
また、S608〜S610を過ぎたS611の時にパケット1が複合機100に届き、CPU103によって検知された場合もパケット2の処理を続行する。
【０１１６】
複合機100はパケット2に応じたリモートオフ動作を行う。
【０１１７】
さらに、パケット1、2を同時に受信した場合を説明する。
複数のホストコンピュータ200からパケット1とパケット2が複合機100に対して同時に送信された場合、S602において受信したパケットはパケット2と判断しS608へ移行する。この例の場合はグループ1に対してパケットを送信する。
【０１１８】
また、ホストコンピュータ200はグループ設定1000を同じグループを選択して送信してもよいし、選択せずにブロードキャストで送信してもよい。ホストコンピュータ200がグループ設定1000なしでブロードキャスト送信した場合、特定グループ以外(この場合はグループ1)の複合機100はこのブロードキャストパケットの情報に従ってリモートオフする。
【０１１９】
S608において、CPU103がFAX部109、画像処理部110、エンジン部111、操作部112の状態から複合機100がジョブ又はFAX受信中であるかを確認するS609へ移行する。
【０１２０】
CPU202が複合機100は動作中であると判断したら強制終了させるS610へ移行し、動作中でなければS611へ移行する。
【０１２１】
複合機100はパケット2に応じたリモートオフ動作を行う。
【符号の説明】
【０１２２】
100  複合機、200  ホストコンピュータ、102  コントローラ制御部、103  CPU
104  インタフェース部、105  主電源SW、108  FAX部、109  画像処理部、
110  エンジン部、112  ネットワーク
【図１】
2015216550.tif 000003
【図２】
2015216550.tif 000004
【図３】
2015216550.tif 000005
【図４】
2015216550.tif 000006
【図５】
2015216550.tif 000007
【図６】
2015216550.tif 000008
【図７】
2015216550.tif 000009
【図８】
2015216550.tif 000010
【図９】
2015216550.tif 000011
【図１０】
2015216550.tif 000012
【図１１】
2015216550.tif 000013
【図１２】
2015216550.tif 000014